【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、 さらに、前記室外熱交換器から流出した前記冷媒を前記第２減圧部に流入させる室外熱交換器出口配管（３４、３５）を備え、
前記室外熱交換器出口部は、前記室外熱交換器出口配管であり、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
前記室外熱交換器出口配管は、前記室外熱交換器過冷却部で過冷却された液相の前記冷媒を前記第２減圧部に流入させる過冷却部出口配管（３４）と、前記室外熱交換器貯液部から流出した液相の前記冷媒を、前記室外熱交換器過冷却部をバイパスして前記第２減圧部に流入させる過冷却部バイパス配管（３５）とを有している冷凍サイクル装置。
【請求項２】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、 前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器出口部は、前記過冷却部出口配管、前記過冷却部バイパス配管および前記第２減圧入口部である冷凍サイクル装置。
【請求項３】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、 前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記過冷却部入口タンク部、前記過冷却部出口タンク部、前記過冷却部出口配管、前記過冷却部バイパス配管および前記第２減圧入口部である冷凍サイクル装置。
【請求項４】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項５】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、  前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器過冷却部、前記過冷却部出口配管、前記過冷却部バイパス配管および前記第２減圧入口部である冷凍サイクル装置。
【請求項６】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記室外熱交換器貯液部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項７】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器入口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器貯液部、前記室外熱交換器過冷却部、前記過冷却部出口配管、前記過冷却部バイパス配管および前記第２減圧入口部である冷凍サイクル装置。
【請求項８】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
さらに、前記室外熱交換器から流出した前記冷媒を前記第２減圧部に流入させる室外熱交換器出口配管（３４、３５）を備え、
前記室外熱交換器出口部は、前記室外熱交換器出口配管であり、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
前記室外熱交換器出口配管は、前記室外熱交換器過冷却部で過冷却された液相の前記冷媒を前記第２減圧部に流入させる過冷却部出口配管（３４）と、前記室外熱交換器貯液部から流出した液相の前記冷媒を、前記室外熱交換器過冷却部をバイパスして前記第２減圧部に流入させる過冷却部バイパス配管（３５）とを有している冷凍サイクル装置。
【請求項９】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器出口部は、前記過冷却部出口配管、前記過冷却部バイパス配管および前記第２減圧入口部である冷凍サイクル装置。
【請求項１０】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記過冷却部入口タンク部、前記過冷却部出口タンク部、前記過冷却部出口配管、前記過冷却部バイパス配管および前記第２減圧入口部である冷凍サイクル装置。
【請求項１１】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項１２】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器過冷却部、前記過冷却部出口配管、前記過冷却部バイパス配管および前記第２減圧入口部である冷凍サイクル装置。
【請求項１３】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記室外熱交換器貯液部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項１４】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）としたとき、
前記凝縮器出口部の容積は、前記室外熱交換器出口部の容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器貯液部、前記室外熱交換器過冷却部、前記過冷却部出口配管、前記過冷却部バイパス配管および前記第２減圧入口部である冷凍サイクル装置。
【請求項１５】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記室外熱交換器から流出した前記冷媒を前記第２減圧部に流入させる室外熱交換器出口配管（３４、３５）を備え、
前記室外熱交換器出口部は、前記室外熱交換器出口配管であり、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
前記室外熱交換器出口配管は、前記室外熱交換器過冷却部で過冷却された液相の前記冷媒を前記第２減圧部に流入させる過冷却部出口配管（３４）と、前記室外熱交換器貯液部から流出した液相の前記冷媒を、前記室外熱交換器過冷却部をバイパスして前記第２減圧部に流入させる過冷却部バイパス配管（３５）とを有している冷凍サイクル装置。
【請求項１６】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器出口部は、前記過冷却部出口配管、前記過冷却部バイパス配管および前記第２減圧入口部である冷凍サイクル装置。
【請求項１７】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記過冷却部入口タンク部、前記過冷却部出口タンク部、前記過冷却部出口配管、前記過冷却部バイパス配管および前記第２減圧入口部である冷凍サイクル装置。
【請求項１８】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項１９】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器過冷却部、前記過冷却部出口配管、前記過冷却部バイパス配管および前記第２減圧入口部である冷凍サイクル装置。
【請求項２０】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記熱交換部出口タンク部、前記室外熱交換器貯液部、前記過冷却部入口タンク部、前記過冷却コア部、前記過冷却部出口タンク部、前記過冷却部出口配管、前記過冷却部バイパス配管および前記第２減圧入口部である冷凍サイクル装置。
【請求項２１】
冷媒を吸入して圧縮し吐出する圧縮機（１１）と、
前記圧縮機から吐出された前記冷媒を熱交換させて凝縮させる凝縮器（１２）と、
前記凝縮器から流出した前記冷媒を減圧膨張させる第１減圧部（１３）と、
前記第１減圧部から流出した前記冷媒を外気と熱交換させる室外熱交換器（１４）と、
前記室外熱交換器から流出した前記冷媒を減圧膨張させる第２減圧部（１５）と、
前記第２減圧部から流出した前記冷媒を熱交換させて蒸発させる蒸発器（１６）と、
前記室外熱交換器から流出した前記冷媒が前記第２減圧部と前記蒸発器とをバイパスして流れるバイパス流路を形成するバイパス配管（３８）と、
前記バイパス配管に配置され、前記バイパス流路を開閉する開閉弁（３９）とを備え、
前記凝縮器から前記第１減圧部までの前記冷媒が流通する部位のうち所定部位を凝縮器出口部（１２、１２ｅ、１２３、１３ｃ、３２）とし、
前記第１減圧部から前記室外熱交換器までの前記冷媒が流通する部位のうち所定部位を室外熱交換器入口部（１３ｆ、１４ｇ、３３）とし、
前記室外熱交換器から前記第２減圧部までの前記冷媒が流通する部位のうち所定部位を室外熱交換器出口部（１４ｈ、１４ｉ、１４ｐ、１４ｓ、１４２、１４３、１４４、１５ｃ、３４、３５）とし、
前記バイパス配管のうち、前記開閉弁よりも前記冷媒の流れの上流側の部位をバイパス配管入口部（３８ａ）としたとき、
前記凝縮器出口部の容積は、前記室外熱交換器出口部および前記バイパス配管入口部の合計容積よりも大きくなっており、
前記第２減圧部は、前記冷媒の減圧量を調整する第２弁体（１５２）と、前記第２弁体が着座する第２弁座（１５３）と、前記第２弁座よりも前記冷媒の流れの上流側に位置する第２減圧入口部（１５ｃ）と、前記第２弁座よりも前記冷媒の流れの下流側に位置する第２減圧出口部（１５４）とを有しており、
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）とを有しており、
さらに、前記室外熱交換器過冷却部で過冷却された液相の前記冷媒を前記第２減圧部に流入させる過冷却部出口配管（３４）と、
前記室外熱交換器貯液部から流出した液相の前記冷媒を、前記室外熱交換器過冷却部をバイパスして前記第２減圧部に流入させる過冷却部バイパス配管（３５）とを備え、
前記熱交換部は、前記第１減圧部から流出した前記冷媒を熱交換させる熱交換コア部（１４ｒ）と、前記熱交換コア部で熱交換された前記冷媒を集合させるとともに前記室外熱交換器過冷却部に流入させる熱交換部出口タンク部（１４ｈ）とを有しており、
前記室外熱交換器過冷却部は、前記冷媒を過冷却させる過冷却コア部（１４ｓ）と、前記室外熱交換器貯液部から流出した液相の前記冷媒を前記過冷却コア部に分配するとともに前記過冷却部バイパス配管に流入させる過冷却部入口タンク部（１４ｉ）と、前記過冷却コア部で熱交換された前記冷媒を集合させるとともに前記過冷却部出口配管に流入させる過冷却部出口タンク部（１４ｐ）とを有しており、
前記室外熱交換器出口部は、前記室外熱交換器貯液部、前記室外熱交換器過冷却部、前記過冷却部出口配管、前記過冷却部バイパス配管および前記第２減圧入口部である冷凍サイクル装置。
【請求項２２】
前記凝縮器出口部の容積は、前記室外熱交換器入口部の容積よりも大きくなっている請求項８ないし２１のいずれか１つに記載の冷凍サイクル装置。
【請求項２３】
前記凝縮器から流出した前記冷媒を前記第１減圧部に流入させる凝縮器出口配管（３２）を備え、
前記凝縮器出口部は、前記凝縮器出口配管である請求項１ないし２２のいずれか１つに記載の冷凍サイクル装置。
【請求項２４】
前記凝縮器は、前記冷媒を凝縮させる凝縮器コア部（１２ｃ）と、前記凝縮器コア部で凝縮された前記冷媒を集合させる凝縮器出口タンク部（１２ｅ）と、前記凝縮器出口タンク部で集合された前記冷媒を流出させる凝縮器出口（１２ｂ）とを有しており、
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器出口タンク部および前記第１減圧入口部である請求項１ないし２２のいずれか１つに記載の冷凍サイクル装置。
【請求項２５】
前記凝縮器から流出した前記冷媒を前記第１減圧部に流入させる凝縮器出口配管（３２）を備え、
前記凝縮器は、前記冷媒を凝縮させる凝縮器コア部（１２ｃ）と、前記凝縮器コア部で凝縮された前記冷媒を集合させる凝縮器出口タンク部（１２ｅ）と、前記凝縮器出口タンク部で集合された前記冷媒を流出させる凝縮器出口（１２ｂ）とを有しており、
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器出口タンク部、前記凝縮器出口配管および前記第１減圧入口部である請求項１ないし２２のいずれか１つに記載の冷凍サイクル装置。
【請求項２６】
前記凝縮器は、前記冷媒を凝縮させる凝縮部（１２１）と、前記凝縮部から流出した冷媒の気液を分離するとともに前記冷媒の余剰分を貯える凝縮器貯液部（１２２）と、前記凝縮器貯液部から流出した液相の前記冷媒を過冷却する凝縮器過冷却部（１２３）とを有しており、
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器過冷却部および前記第１減圧入口部である請求項１ないし２２のいずれか１つに記載の冷凍サイクル装置。
【請求項２７】
前記凝縮器から流出した前記冷媒を前記第１減圧部に流入させる凝縮器出口配管（３２）を備え、
前記凝縮器は、前記冷媒を凝縮させる凝縮部（１２１）と、前記凝縮部から流出した冷媒の気液を分離するとともに前記冷媒の余剰分を貯える凝縮器貯液部（１２２）と、前記凝縮器貯液部から流出した液相の前記冷媒を過冷却する凝縮器過冷却部（１２３）とを有しており、
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器過冷却部、前記凝縮器出口配管および前記第１減圧入口部である請求項１ないし２２のいずれか１つに記載の冷凍サイクル装置。
【請求項２８】
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器のうち前記冷媒が液相になっている部位、および前記第１減圧入口部である請求項１ないし２２のいずれか１つに記載の冷凍サイクル装置。
【請求項２９】
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記凝縮器出口部は、前記凝縮器のうち前記冷媒が液相になっている部位、前記凝縮器出口配管および前記第１減圧入口部である請求項１ないし２２のいずれか１つに記載の冷凍サイクル装置。
【請求項３０】
前記第１減圧部から流出した前記冷媒を前記室外熱交換器に流入させる室外熱交換器入口配管（３３）を備え、
前記室外熱交換器入口部は、前記室外熱交換器入口配管である請求項１ないし２９のいずれか１つに記載の冷凍サイクル装置。
【請求項３１】
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記室外熱交換器は、前記第１減圧部から流出した前記冷媒を流入させる室外熱交換器入口（１４ａ）と、前記室外熱交換器入口から流入した前記冷媒を分配する熱交換部入口タンク部（１４ｇ）と、前記熱交換部入口タンク部で分配された前記冷媒を熱交換させる熱交換コア部（１４ｒ）とを有しており、
前記室外熱交換器入口部は、前記第１減圧出口部および前記熱交換部入口タンク部である請求項１ないし２９のいずれか１つに記載の冷凍サイクル装置。
【請求項３２】
前記第１減圧部から流出した前記冷媒を前記室外熱交換器に流入させる室外熱交換器入口配管（３３）を備え、
前記第１減圧部は、前記冷媒の減圧量を調整する第１弁体（１３ｄ）と、前記第１弁体が着座する第１弁座（１３ｅ）と、前記第１弁座よりも前記冷媒の流れの上流側に位置する第１減圧入口部（１３ｃ）と、前記第１弁座よりも前記冷媒の流れの下流側に位置する第１減圧出口部（１３ｆ）とを有しており、
前記室外熱交換器は、前記第１減圧部から流出した前記冷媒を流入させる室外熱交換器入口（１４ａ）と、前記室外熱交換器入口から流入した前記冷媒を分配する熱交換部入口タンク部（１４ｇ）と、前記熱交換部入口タンク部で分配された前記冷媒を熱交換させる熱交換コア部（１４ｒ）とを有しており、
前記室外熱交換器入口部は、前記第１減圧出口部、前記室外熱交換器入口配管および前記熱交換部入口タンク部である請求項１ないし２９のいずれか１つに記載の冷凍サイクル装置。
【請求項３３】
前記室外熱交換器は、前記冷媒を熱交換させる熱交換部（１４１）と、前記熱交換部で熱交換された前記冷媒の気液を分離するとともに前記冷媒の余剰分を貯える室外熱交換器貯液部（１４２）と、前記室外熱交換器貯液部から流出した液相の前記冷媒を過冷却する室外熱交換器過冷却部（１４３）と、前記室外熱交換器貯液部から流出した液相の前記冷媒が前記室外熱交換器過冷却部をバイパスして流れる過冷却バイパス部（１４４）とを有している請求項１ないし３２のいずれか１つに記載の冷凍サイクル装置。
【手続補正２】
【補正対象書類名】明細書
【補正対象項目名】００１２
【補正方法】変更
【補正の内容】
【００１２】
上記目的を達成するため、請求項１〜７に記載の冷凍サイクル装置では、
冷媒を吸入して圧縮し吐出する圧縮機（１１）と、
圧縮機から吐出された冷媒を熱交換させて凝縮させる凝縮器（１２）と、
凝縮器から流出した冷媒を減圧膨張させる第１減圧部（１３）と、
第１減圧部から流出した冷媒を外気と熱交換させる室外熱交換器（１４）と、
室外熱交換器から流出した冷媒を減圧膨張させる第２減圧部（１５）と、
第２減圧部から流出した冷媒を熱交換させて蒸発させる蒸発器（１６）とを備え、
凝縮器から第１減圧部までの冷媒が流通する部位のうち所定部位を凝縮器出口部（１２、１２ｅ、１２３、１３ｃ、３２）とし、
第１減圧部から室外熱交換器までの冷媒が流通する部位のうち所定部位を室外熱交換器入口部（１３ｆ、１４ｇ、３３）としたとき、
凝縮器出口部の容積は、室外熱交換器入口部の容積よりも大きくなっている。
【手続補正３】
【補正対象書類名】明細書
【補正対象項目名】００１４
【補正方法】変更
【補正の内容】
【００１４】
上記目的を達成するため、請求項８〜１４に記載の冷凍サイクル装置では、
冷媒を吸入して圧縮し吐出する圧縮機（１１）と、
圧縮機から吐出された冷媒を熱交換させて凝縮させる凝縮器（１２）と、
凝縮器から流出した冷媒を減圧膨張させる第１減圧部（１３）と、
第１減圧部から流出した冷媒を外気と熱交換させる室外熱交換器（１４）と、
室外熱交換器から流出した冷媒を減圧膨張させる第２減圧部（１５）と、
第２減圧部から流出した冷媒を熱交換させて蒸発させる蒸発器（１６）とを備え、
凝縮器から第１減圧部までの冷媒が流通する部位のうち所定部位を凝縮器出口部（１２、１２ｅ、１２３、１３ｃ、３２）とし、
室外熱交換器から第２減圧部までの冷媒が流通する部位のうち所定部位を室外熱交換器出口部（１４ｈ、１４ｉ、１４ｐ、１４ｓ、１４２、１４３、１４４、１５ｃ、３４、３５）としたとき、
凝縮器出口部の容積は、室外熱交換器出口部の容積よりも大きくなっている。
【手続補正４】
【補正対象書類名】明細書
【補正対象項目名】００１７
【補正方法】変更
【補正の内容】
【００１７】
上記目的を達成するため、請求項１５〜２１に記載の冷凍サイクル装置では、
冷媒を吸入して圧縮し吐出する圧縮機（１１）と、
圧縮機から吐出された冷媒を熱交換させて凝縮させる凝縮器（１２）と、
凝縮器から流出した冷媒を減圧膨張させる第１減圧部（１３）と、
第１減圧部から流出した冷媒を外気と熱交換させる室外熱交換器（１４）と、
室外熱交換器から流出した冷媒を減圧膨張させる第２減圧部（１５）と、
第２減圧部から流出した冷媒を熱交換させて蒸発させる蒸発器（１６）と、
室外熱交換器から流出した冷媒が第２減圧部と蒸発器とをバイパスして流れるバイパス流路を形成するバイパス配管（３８）と、
バイパス配管に配置され、バイパス流路を開閉する開閉弁（３９）とを備え、
凝縮器から第１減圧部までの冷媒が流通する部位のうち所定部位を凝縮器出口部（１２
、１２ｅ、１２３、１３ｃ、３２）とし、
室外熱交換器から第２減圧部までの冷媒が流通する部位のうち所定部位を室外熱交換器出口部（１４ｈ、１４ｉ、１４ｐ、１４ｓ、１４２、１４３、１４４、１５ｃ、３４、３５）とし、
バイパス配管のうち、開閉弁よりも冷媒の流れの上流側の部位をバイパス配管入口部（３８ａ）としたとき、
凝縮器出口部の容積は、室外熱交換器出口部およびバイパス配管入口部の合計容積よりも大きくなっている。
【手続補正５】
【補正対象書類名】明細書
【補正対象項目名】００１９
【補正方法】変更
【補正の内容】
【００１９】
そのため、第２モードの適正冷媒量が多くなり第１モードの適正冷媒量が少なくなるので、第１モードと第２モードとの適正冷媒量の差を少なくでき、ひいては第１モードおよび第２モードの両方において良好なサイクル成績係数を得ることができる。
請求項１、８、１５に記載の冷凍サイクル装置では、
さらに、室外熱交換器から流出した冷媒を第２減圧部に流入させる室外熱交換器出口配管（３４、３５）を備え、
室外熱交換器出口部は、室外熱交換器出口配管であり、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
室外熱交換器出口配管は、室外熱交換器過冷却部で過冷却された液相の冷媒を第２減圧部に流入させる過冷却部出口配管（３４）と、室外熱交換器貯液部から流出した液相の冷媒を、室外熱交換器過冷却部をバイパスして第２減圧部に流入させる過冷却部バイパス配管（３５）とを有している。
請求項２、９、１６に記載の冷凍サイクル装置では、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
室外熱交換器出口部は、過冷却部出口配管、過冷却部バイパス配管および第２減圧入口部である。
請求項３、１０、１７に記載の冷凍サイクル装置では、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
室外熱交換器過冷却部は、冷媒を過冷却させる過冷却コア部（１４ｓ）と、室外熱交換器貯液部から流出した液相の冷媒を過冷却コア部に分配するとともに過冷却部バイパス配管に流入させる過冷却部入口タンク部（１４ｉ）と、過冷却コア部で熱交換された冷媒を集合させるとともに過冷却部出口配管に流入させる過冷却部出口タンク部（１４ｐ）とを有しており、
室外熱交換器出口部は、過冷却部入口タンク部、過冷却部出口タンク部、過冷却部出口配管、過冷却部バイパス配管および第２減圧入口部である。
請求項４、１１、１８に記載の冷凍サイクル装置では、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
熱交換部は、第１減圧部から流出した冷媒を熱交換させる熱交換コア部（１４ｒ）と、熱交換コア部で熱交換された冷媒を集合させるとともに室外熱交換器過冷却部に流入させる熱交換部出口タンク部（１４ｈ）とを有しており、
室外熱交換器過冷却部は、冷媒を過冷却させる過冷却コア部（１４ｓ）と、室外熱交換器貯液部から流出した液相の冷媒を過冷却コア部に分配するとともに過冷却部バイパス配管に流入させる過冷却部入口タンク部（１４ｉ）と、過冷却コア部で熱交換された冷媒を集合させるとともに過冷却部出口配管に流入させる過冷却部出口タンク部（１４ｐ）とを有しており、
室外熱交換器出口部は、熱交換部出口タンク部、過冷却部入口タンク部、過冷却コア部、過冷却部出口タンク部、過冷却部出口配管、過冷却部バイパス配管および第２減圧入口部である。
請求項５、１２、１９に記載の冷凍サイクル装置では、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
熱交換部は、第１減圧部から流出した冷媒を熱交換させる熱交換コア部（１４ｒ）と、熱交換コア部で熱交換された冷媒を集合させるとともに室外熱交換器過冷却部に流入させる熱交換部出口タンク部（１４ｈ）とを有しており、
室外熱交換器過冷却部は、冷媒を過冷却させる過冷却コア部（１４ｓ）と、室外熱交換器貯液部から流出した液相の冷媒を過冷却コア部に分配するとともに過冷却部バイパス配管に流入させる過冷却部入口タンク部（１４ｉ）と、過冷却コア部で熱交換された冷媒を集合させるとともに過冷却部出口配管に流入させる過冷却部出口タンク部（１４ｐ）とを有しており、
室外熱交換器出口部は、室外熱交換器過冷却部、過冷却部出口配管、過冷却部バイパス配管および第２減圧入口部である。
請求項６、１３、２０に記載の冷凍サイクル装置では、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
熱交換部は、第１減圧部から流出した冷媒を熱交換させる熱交換コア部（１４ｒ）と、熱交換コア部で熱交換された冷媒を集合させるとともに室外熱交換器過冷却部に流入させる熱交換部出口タンク部（１４ｈ）とを有しており、
室外熱交換器過冷却部は、冷媒を過冷却させる過冷却コア部（１４ｓ）と、室外熱交換器貯液部から流出した液相の冷媒を過冷却コア部に分配するとともに過冷却部バイパス配管に流入させる過冷却部入口タンク部（１４ｉ）と、過冷却コア部で熱交換された冷媒を集合させるとともに過冷却部出口配管に流入させる過冷却部出口タンク部（１４ｐ）とを有しており、
室外熱交換器出口部は、熱交換部出口タンク部、室外熱交換器貯液部、過冷却部入口タンク部、過冷却コア部、過冷却部出口タンク部、過冷却部出口配管、過冷却部バイパス配管および第２減圧入口部である。
請求項７、１４、２１に記載の冷凍サイクル装置では、
凝縮器出口部の容積は、室外熱交換器入口部の容積よりも大きくなっており、
第２減圧部は、冷媒の減圧量を調整する第２弁体（１５２）と、第２弁体が着座する第２弁座（１５３）と、第２弁座よりも冷媒の流れの上流側に位置する第２減圧入口部（１５ｃ）と、第２弁座よりも冷媒の流れの下流側に位置する第２減圧出口部（１５４）とを有しており、
室外熱交換器は、冷媒を熱交換させる熱交換部（１４１）と、熱交換部で熱交換された冷媒の気液を分離するとともに冷媒の余剰分を貯える室外熱交換器貯液部（１４２）と、室外熱交換器貯液部から流出した液相の冷媒を過冷却する室外熱交換器過冷却部（１４３）とを有しており、
さらに、室外熱交換器過冷却部で過冷却された液相の冷媒を第２減圧部に流入させる過冷却部出口配管（３４）と、
室外熱交換器貯液部から流出した液相の冷媒を、室外熱交換器過冷却部をバイパスして第２減圧部に流入させる過冷却部バイパス配管（３５）とを備え、
熱交換部は、第１減圧部から流出した冷媒を熱交換させる熱交換コア部（１４ｒ）と、熱交換コア部で熱交換された冷媒を集合させるとともに室外熱交換器過冷却部に流入させる熱交換部出口タンク部（１４ｈ）とを有しており、
室外熱交換器過冷却部は、冷媒を過冷却させる過冷却コア部（１４ｓ）と、室外熱交換器貯液部から流出した液相の冷媒を過冷却コア部に分配するとともに過冷却部バイパス配管に流入させる過冷却部入口タンク部（１４ｉ）と、過冷却コア部で熱交換された冷媒を集合させるとともに過冷却部出口配管に流入させる過冷却部出口タンク部（１４ｐ）とを有しており、
室外熱交換器出口部は、室外熱交換器貯液部、室外熱交換器過冷却部、過冷却部出口配管、過冷却部バイパス配管および第２減圧入口部である。